(57)【要約】【課題】蓄熱量が許容上限に達しており、熱需要がなく電気需要がある場合に発電機を安全に稼働させることができると共に、発電機を停止した後に熱需要があったときに所望温度の湯水を早期に提供することができるコージェネレーションシステムを提供することである。【解決手段】発電部２から生じる熱が貯湯部３の湯水で冷却され、貯湯部３は、湯水を循環させる循環経路３２と貯湯タンク３１とを備えており、貯湯タンク３１内には湯水が温度成層を形成して貯留可能であり、循環経路３２上に熱交換器と熱源９と送風機８とを備えたコージェネレーションシステム１において、熱の需要がなく、貯湯タンク３１の蓄熱量が上限領域に達しているときに、発電部２を稼働する場合に、循環経路３２内の湯水を送風機８で冷却し、発電部２が停止すると、冷却した湯水を熱源９で加熱する。【選択図】図１
2009204203.tif 000002
【特許請求の範囲】
【請求項１】
発電部と貯湯部とを有し、前記発電部から生じる熱は貯湯部の湯水で冷却され、前記貯湯部は、湯水を循環させる循環経路と貯湯タンクとを備えており、前記貯湯タンク内には湯水が温度成層を形成して貯留可能であり、貯湯タンクの高温側に繋がる循環経路上に、熱交換器と熱源と送風機とを備えた補助加熱手段が設けてあるコージェネレーションシステムにおいて、
熱の需要がなく、貯湯タンクの蓄熱量が上限領域に達しているときに、発電部を稼働する場合に、
循環経路内の湯水を前記送風機で冷却し、発電部が停止すると、送風機で冷却した湯水を前記熱源で加熱することを特徴とするコージェネレーションシステム。
【請求項２】
熱の需要の有無を検出する熱需要検出手段と、貯湯タンクの蓄熱量を監視する監視手段と、発電部の稼働状態を検出する稼働検出手段と、補助加熱手段の作動を司る制御手段とを設け、
熱の需要が検出されず、貯湯タンクの蓄熱量が上限領域に達しており、発電部の起動が検出されると、制御手段が補助加熱手段の送風機を作動させ、発電部の停止が検出されると、補助加熱手段の熱源を作動させることを特徴とする請求項１に記載のコージェネレーションシステム。
【請求項３】
所定時間、熱需要がない場合には、補助加熱手段の熱源を作動させることを特徴とする請求項１又は請求項２に記載のコージェネレーションシステム。
【請求項４】
熱需要は給湯であることを特徴とする請求項１乃至請求項３のうちのいずれかに記載のコージェネレーションシステム。
【発明の詳細な説明】
【技術分野】
【０００１】
本発明は、発電装置と熱供給手段とを具備したコージェネレーションシステムに関するものである。
【背景技術】
【０００２】
近年、環境問題や省エネルギー等の観点から、総合エネルギー効率の高い給湯装置の提供が要求されている。この要求に応えるべく創案されたコージェネレーションシステムが、例えば特許文献１に開示されている。
【特許文献１】特開２００３−２１４７０５号公報
【発明の開示】
【発明が解決しようとする課題】
【０００３】
特許文献１に開示されているコージェネレーションシステムは、ガスエンジンによって駆動される発電機と、貯湯式の給湯熱源装置とを備えている。このガスエンジンで生じた熱は冷却水で冷却される。昇温した冷却水は、熱交換器で別の配管経路を流れる湯水と熱交換し、温度低下した冷却水が、再度ガスエンジンの冷却に使用される。
【０００４】
すなわち、ガスエンジンを冷却する冷却水は、別の配管経路を流れる湯水によって冷却され、昇温した湯水は、貯湯タンクに貯留されたり、風呂，床暖房，給湯等に使用され、消費された湯水の量に相当する水が配管経路内に供給され、配管経路内の湯水量は常に一定に保たれている。
【０００５】
ちなみに、温度が低い湯水が貯湯タンク内に多量に貯留されていたり、湯水が風呂等に使用されて低温の湯水が配管経路内に多量に供給される場合には、ガスエンジン側の冷却水は、配管経路内の湯水によって十分に冷却可能であり、ガスエンジンを安全に稼働させ続けることができる。
【０００６】
ところが、貯湯タンクを含めて配管経路内の湯水が高温であると、ガスエンジン側の昇温した冷却水は十分に冷却されず、ガスエンジンの稼働に支障が出てしまう。昨今は地震等の災害が発生して商用電力が使用出来なくなった場合でも、電気が使用できるようにしたいという要望が高まっている。また、商用電力が使用できても、発電機の稼働を継続した方が好ましい場合もある。特許文献１のコージェネレーションシステムは、これらの要求に応えることができるものである。
【０００７】
すなわち、特許文献１に開示されているコージェネレーションシステムでは、配管経路内の湯水を給湯器に通し、給湯器では燃焼は行わずに送風ファンのみを駆動し、湯水の温度を低下させることができるように構成されている。これにより、配管経路内の湯水の温度低下が図られ、ガスエンジン側の昇温した冷却水を冷却することができる。よって、ガスエンジンの稼働を続行することができ、発電機を駆動して電気が使用できるようになる。
【０００８】
ところで、特許文献１に開示されているコージェネレーションシステムでは、ガスエンジンの冷却を継続的に実施できるので、発電機で電気を供給することができる。そして、電気の需要がなくなった際には発電機による発電は不要になるのでガスエンジンを停止させる。その際、貯湯タンク内から給湯栓に至るまでの配管経路と、その配管経路内の湯水が、送風ファンの作動によって冷却されているため、給湯栓が開かれると、まず最初に配管経路内の温度低下した湯水が排出される。さらに、貯湯タンク内の高温の湯水が、給湯栓に至るまでに配管経路内で給湯設定温度以下に冷やされてしまう場合があり、その場合には、温度低下した高温側の湯水と、外部から供給される低温の湯水とを混合して所望温度の湯水を生成することができない。よって、配管経路の温度が上昇するまでは、所望する温度の湯水を給湯することができない。
【０００９】
そこで本発明は、貯湯タンクの蓄熱量が許容上限に達しており、さらに熱需要がない上に電気需要がある場合に発電機を安全に稼働させることができると共に、発電機を停止した後に熱需要があったときに所望温度の湯水を直ちに提供することができるコージェネレーションシステムを提供することを目的としている。
【課題を解決するための手段】
【００１０】
上記課題を解決するための請求項１の発明は、発電部と貯湯部とを有し、前記発電部から生じる熱は貯湯部の湯水で冷却され、前記貯湯部は、湯水を循環させる循環経路と貯湯タンクとを備えており、前記貯湯タンク内には湯水が温度成層を形成して貯留可能であり、貯湯タンクの高温側に繋がる循環経路上に、熱交換器と熱源と送風機とを備えた補助加熱手段が設けてあるコージェネレーションシステムにおいて、熱の需要がなく、さらに貯湯タンクの蓄熱量が上限領域に達しているときに、発電部を稼働する場合に、循環経路内の湯水を前記送風機で冷却し、発電部が停止すると、送風機で冷却した湯水を前記熱源で加熱することを特徴とするコージェネレーションシステムである。
【００１１】
請求項１の発明では、送風機で冷却した湯水を熱源で加熱するので、湯水の温度が上昇する。よって、熱需要があるときには温度が上昇した湯水を直ちに供給することができる。なお、貯湯タンクの蓄熱量の上限領域とは、貯湯タンクの最大蓄熱量を含み、最大蓄熱量に近い領域を指す。すなわち、この貯湯タンクの蓄熱量が上限領域に達すると、実質的にそれ以上の蓄熱はできなくなる。このような場合に、送風機で循環経路内の湯水を冷却する。
【００１２】
請求項２の発明は、熱の需要の有無を検出する熱需要検出手段と、貯湯タンクの蓄熱量を監視する監視手段と、発電部の稼働状態を検出する稼働検出手段と、補助加熱手段の作動を司る制御手段とを設け、熱の需要が検出されず、貯湯タンクの蓄熱量が上限領域に達しており、発電部の起動が検出されると、制御手段が補助加熱手段の送風機を作動させ、発電部の停止が検出されると、補助加熱手段の熱源を作動させることを特徴とする請求項１に記載のコージェネレーションシステムである。
【００１３】
請求項２の発明では、熱の需要が検出されず、貯湯タンクの蓄熱量が上限領域に達しており、発電部の起動が検出されると、制御手段が補助加熱手段の送風機を作動させるので、循環経路内の湯水の温度が低下する。これにより、発電部を冷却することができ、発電部を継続して稼働させることができる。また、発電部の停止が検出されると、補助加熱手段の熱源を作動させるので、循環経路内の湯水の温度が上昇する。これにより、熱の需要があると、直ちに温度が上昇した湯水を提供することができる。
【００１４】
請求項３の発明は、所定時間、熱需要がない場合には、補助加熱手段の熱源を作動させることを特徴とする請求項１又は請求項２に記載のコージェネレーションシステムである。
【００１５】
請求項３の発明では、所定時間、熱需要がない場合には、補助加熱手段の熱源を作動させるので、自然放熱した循環経路内の湯水の温度が上昇する。よって、熱の需要があると、直ちに高温の湯水を提供することができる。
【００１６】
請求項４の発明は、熱需要は給湯であることを特徴とする請求項１乃至請求項３のうちのいずれかに記載のコージェネレーションシステムである。
【００１７】
請求項４の発明では、熱需要が給湯であるので、給湯初期から所望温度の湯水を供給することができる。
【発明の効果】
【００１８】
本発明は、発電部の稼働中は貯湯部の循環経路内の湯水を放熱器で冷却し、発電部が停止すると、放熱器で冷却した湯水を補助加熱手段で加熱するので、稼働中の発電部は良好に冷却されると共に、発電部が停止すると、放熱器で冷却した湯水の温度が上昇し、熱需要があると、当初から高温の湯水を供給することができる。
【発明を実施するための最良の形態】
【００１９】
続いて本発明の一実施形態であるコージェネレーションシステムについて図面を参照しながら詳細に説明する。図１は、本実施形態のコージェネレーションシステムの配管系統図である。まず、コージェネレーションシステム１の構成を説明し、続いて本発明の特徴部分に言及する。
【００２０】
図１において、１は本実施形態のコージェネレーションシステムである。コージェネレーションシステム１は、大別して発電部２と給湯部３（貯湯部）とにより構成されている。発電部２は、ガスエンジン５を備えたものであり、電気機器等に電力を供給すると共に、発電に伴い発生した排熱により湯水を加熱することができる。また、給湯部３は、給湯装置６（送風機８，燃焼部９（熱源），熱交換部１４）を備えたものであり、給湯栓７や浴槽に供給される湯水を加熱するものである。
【００２１】
発電部２は、大別してガスエンジン５と、ガスエンジン５によって駆動する発電機１０と、ヒータ１１とを具備している。発電部２において発生した電力は、配線１７や分岐配線１８を介して外部にある電気機器やヒータ１１に供給される。発電部２は、ガスエンジン５を冷却するための冷却回路１２を具備している。ヒータ１１は、電力の商用電源側への逆潮流を防止するために設けられたものであり、また、熱需要が大きい場合にも使用される。
【００２２】
冷却回路１２は、発電部２の外部、さらに詳細には給湯部３側にある排熱熱交換器３０を経由して冷却水を循環させるものである。冷却回路１２は、ガスエンジン５から排熱熱交換器３０に到り、ガスエンジン５から排熱熱交換器３０に向けて冷却水を流す往き側冷却水路１３と、排熱熱交換器３０からガスエンジン５側へと冷却水を戻す戻り側冷却水路１５とから構成されている。冷却回路１２内を流れる冷却水は、戻り側冷却水路１５の中途に設けられたポンプ１６によって圧送され、戻り側冷却水路１５側から往き側冷却水路１３側へと流れる。戻り側冷却水路１５内を流れる冷却水は、ガスエンジン５の駆動に伴い発生した排熱により加熱され、往き側冷却水路１３へと流出する。
【００２３】
戻り側冷却水路１５の中途には、上記したポンプ１６の他に冷却水タンク２２が設けられている。冷却水タンク２２には、外部から湯水を供給するための給水管２７が設けられており、その中途に設けられている補給水弁２８によって冷却水タンク２２への給水量が調整される。
【００２４】
給湯部３は、燃料ガスを燃焼し湯水を加熱する給湯装置６と、冷却回路１２内を流れるガスエンジン５の排熱により加熱された冷却水と熱交換を行う排熱熱交換器３０と、貯留タンク３１とを具備している。また、給湯部３は、ガスエンジン５、並びに、給湯装置６において加熱された湯水が循環する熱源循環回路３２（循環経路）と、ガスエンジン５や給湯装置６において発生した熱によって加熱された湯水を給湯栓７を介して外部に供給する給湯回路３３と、湯水を浴槽に供給して循環させる浴槽循環回路３６とを有する。
【００２５】
熱源循環回路３２は、給湯装置６の出湯口３７に接続された給湯往路３８と、給湯装置６の入湯口４０に接続された給湯復路４１とを有している。給湯往路３８は、給湯栓７側へ湯水を導く給湯管８３と、追焚熱交換器４３と開閉弁５３とを備えた熱交換配管４５に接続されている。給湯管８３は、後述する混合弁８０に接続されている。また、給湯復路４１は、貯湯部給湯管８７を介して貯留タンク３１と接続されている。
【００２６】
貯留タンク３１には、内部に貯留されている湯水の高さ方向の温度分布を検知するために、最上部温度センサ３４ａ、上部温度センサ３４ｂ、中部温度センサ３４ｃおよび下部温度センサ３４ｄが設けられている。また、図１に示すように給湯復路４１には、順に、エアセパレータ４６と、湯水を循環させる循環ポンプ４７と、排熱熱交換器３０と、給湯復路４１を流れる水量を検知する循環流量センサ５０と、給湯装置６に流入する水量を調整する循環水比例弁５１とが設けられている。エアセパレータ４６は、熱源循環回路３２中に含まれている空気を外部に排出するものであり、貯留タンク３１の下部に設けられた貯留部排出管８９が接続されている。また、排熱熱交換器３０は、上記した発電部２においてガスエンジン５の駆動に伴い発生した排熱により加熱された冷却水と熱交換を行うことにより給湯復路４１を流れる湯水を加熱するものである。そのため、通常ガスエンジン５の駆動中は、排熱熱交換器３０において加熱された湯水が給湯復路４１を介して給湯装置６に流入したり、途中で貯湯部給湯管８７を介して貯湯タンク３１に貯湯（蓄熱）される。
【００２７】
上記したように、給湯回路３３は、給湯栓７に繋がる流路であり、中途に流量センサ８１と、比例弁８２と、給湯温度センサ９５とが設けられている。給湯回路３３は、混合弁８０を介して給湯管８３と給水管８５とが接続されている。給水管８５は、外部から低温の湯水を供給するものであり、混合弁８０においては、給湯管８３側から供給された高温の湯水と給水管８５側から供給される低温の湯水とが混合される。その結果、混合後の湯水の温度は所望の給湯設定温度となり、給湯栓７から出湯される。
【００２８】
給湯管８３には、比例弁８４と湯温センサ９２とが設けられている。
また、給水管８５には、減圧弁８８と、混合弁８０側に湯水を導く逆止弁９０と、外部から導入される湯水の温度を検知する水温センサ９３が設けられている。給湯回路３３には給水管８５を介して供給される低温の水と、給湯往路３８，給湯管８３を流れる高温の湯水とが、混合弁８０で混合されることにより水温が調整された湯水が流れる。
【００２９】
給水管８５の中途には、外部から導入された湯水を貯留タンク３１側に向けて供給する貯留部給水管９１が接続されている。貯留部給水管９１は、貯留タンク３１の底部側に接続されており、中途に給水管８５側から貯留タンク３１側へ湯水を導く逆止弁８６が設けられている。貯留タンク３１には、貯留部給湯管８７を通って貯留タンク３１の外部に流出する湯水と略同量の湯水が貯留部給水管９１を介して給水されるため、貯留タンク３１は常に満水状態に維持される。
【００３０】
続いて、本実施形態のコージェネレーションシステム１における湯水の流れについて簡単に説明する。
コージェネレーションシステム１は、後述する駆動制御装置１０２によって複数の運転モードで駆動制御されるものであり、各モード毎に湯水の流れが異なる。即ち、駆動制御装置１０２は、貯留タンク３１に湯水を貯留する排熱貯留運転モードと、給湯栓７から湯水を排出する給湯運転モードと、浴槽内に湯水を落とし込む落とし込み運転モードと、浴槽内の湯水を追焚きする追焚き運転モードのいずれか１つあるいは複数のモードを選択して、その運転モードに則ってコージェネレーションシステム１を駆動させる。
【００３１】
排熱貯留運転モードでは、発電部２においてガスエンジン５が駆動を開始し、それに伴いポンプ１６が作動して冷却回路１２内を冷却水が循環し始める。冷却回路１２内を流れる冷却水は、ガスエンジン５の駆動に伴い発生する排熱により加熱される。
【００３２】
一方、給湯部３では、循環ポンプ４７が駆動を開始し、貯留タンク３１の底部に設けられた貯留部排出管８９から貯留タンク３１内の湯水が給湯復路４１側に流入する。給湯復路４１内を流れる湯水は、排熱熱交換器３０においてガスエンジン５の排熱やヒータ１１によって加熱された冷却水と熱交換を行い加熱された後、貯留タンク３１内に流入し、貯留タンク３１は蓄熱される。
【００３３】
そのため、貯留タンク３１内に貯留されている湯水は、下方から上方に向けて次第に高温となっている。即ち、貯留タンク３１内に貯留されている湯水は、上下方向に層状の温度分布を形成している。貯留タンク３１内に貯留されている湯水の略全体が所定温度以上となると、排熱貯留運転モードによる湯水の貯留（蓄熱）が完了する。さらに具体的には、貯留タンク３１の下部温度センサ３４ｄが所定の温度に達すると、駆動制御装置１０２は下部温度センサ３４ｄよりも上方に貯留されている湯水が所定温度に達しているものと判断し、排熱貯留運転モードを完了させる。
【００３４】
続いて、コージェネレーションシステム１が給湯運転モードである場合における湯水の流れを説明する。貯留タンク３１内に高温の湯水が十分に貯留されている場合には、給湯栓７が開栓されると、給水管８５を介して外部から供給される低温の湯水の一部が、混合弁８０に向けて供給される。一方、外部から供給される低温の湯水は、給水管８５から分岐された貯留部給水管９１を介して貯留タンク３１の底部に流入する。これに伴い、貯留タンク３１内に貯留されている湯水は上方に押し上げられ、貯留タンク３１の上部側に貯留されている高温の湯水が貯留部給湯管８７から排出される。貯留部給湯管８７から排出された湯水は給湯管８３内を流れ、混合弁８０へと流れ込む。混合弁８０に流入した高温の湯水は、給水管８５を介して供給された低温の湯水と混合されて給湯設定温度となり、給湯回路３３を介して給湯栓７から排出される。
【００３５】
入浴時には、浴槽内に新規に湯水が供給されたり、浴槽内の湯水が追い焚きされる。よって、そのために必要な水位計や弁，ポンプ等を備えた配管が適宜設けられている。すなわち、混合弁８０に流入した高温の湯水は、給水管８５を介して供給された低温の水と混合されて適温に調整されて浴槽に供給されたり、浴槽内の低温の湯水が追焚熱交換器４３や給湯装置６の熱交換部１４まで移動して加熱され、昇温した湯水が再度浴槽内へ戻される。
【００３６】
本実施形態のコージェネレーションシステム１には、発電部２および給湯部３の駆動を司る制御部１００と、余剰電力制御部１０１とを具備した駆動制御装置１０２が設けられている。制御部１００は、発電部２および給湯部３に設けられた各センサの検知信号に基づく弁の開閉を行ったり、ポンプやガスエンジン５、給湯装置６等の駆動を司るものである。また、制御部１００には、熱需要の有無の検出機能（熱需要検出手段）と、貯湯タンクの蓄熱量の監視機能（監視手段）と、発電部２の稼働状態の検出機能（稼働検出手段）とを備えている。また、余剰電力制御部１０１は、コージェネレーションシステム１における電力調整を行うものである。
【００３７】
駆動制御装置１０２は、上記した各運転モードに則ってガスエンジン５および給湯装置６を稼働させ、これにより発生する熱によって湯水を加熱するものである。さらに詳細には、駆動制御装置１０２は、湯水の使用状況や、湯水の使用予定、余剰電力制御部１０１において検知された電力状況、即ち発電部２における発電量やコージェネレーションシステム１およびコージェネレーションシステム１に接続された電気機器における電力使用状況に応じて制御部１００によりガスエンジン５および給湯装置６の駆動を制御し、湯水の加熱や発電を行う。
【００３８】
次に、本発明の構成の骨子について図１と図２の流れ図に沿って説明する。図２は、本発明のコージェネレーションシステムを実施する際の流れ図である。
制御部１００の各種検出及び監視機能によって、商用電源が使用できず（ステップ１）、給湯栓７や浴槽への給湯の需要がなく（ステップ２）、貯湯タンク３１内の湯水が高温であって蓄熱の許容上限に達しており（ステップ３）、さらに電気の需要がある（ステップ４）ことが判明した場合には、発電部２による発電が必要になる。その際にガスエンジン５で発生する熱で、往き側冷却水路１３内を流れる冷却水が加熱され、昇温した冷却水は排熱熱交換器３０に流入する。ところが、貯湯タンク３１内及び熱源循環回路３２（給湯往路３８，給湯復路４１）内の湯水は高温であり、このままでは発電部２側の冷却水を冷却することができない。そこで制御部１００は、給湯装置６の送風機８を駆動させる（ステップ５）。
【００３９】
送風機８は、給湯装置６の燃焼部９（熱源）で燃料ガスを燃焼させる際に、燃焼用の空気を供給するためのものを流用することができる。ステップ５では、給湯装置６（燃焼部９）で燃焼は行わず、送風機８のみが駆動される。これにより、熱源循環回路３２内の湯水が、給湯装置６内の熱交換部１４で冷却される。循環ポンプ４７によって熱源循環回路３２内の湯水は循環し、排熱熱交換器３０で発電部２側の冷却水を冷却する。
【００４０】
昇温した排熱熱交換器３０内の湯水は、さらに循環して送風機８によって冷却される。ステップ６において、制御部１００が電気の需要がなくなったことを検出すると、ステップ７へ進み、発電部２を停止させると共に、給湯装置６の燃焼部９（熱源）を稼働させ、送風機８で冷却された熱源循環回路３２内の湯水を加熱する。この加熱は、送風機８で冷却された湯水の温度が、貯湯タンク３１内の湯水の温度と同程度となるように、例えば１０秒〜６０秒程度実施するのが好ましい。すなわち、熱源循環回路３２内に備えた温度センサの検出値が、給湯設定温度に基づく所定温度に達したことを条件に加熱を停止する。よって、ステップ７には記載していないが、湯水が加熱されると直ちに給湯装置６（燃焼部９）を停止させ、図２に示す工程は終了する。
【００４１】
仮に、ステップ１において、商用電力が供給されていることが制御装置１００によって検出された場合には、発電部２によって発電する必要がないため、引き続き、制御装置１００は商用電源の使用の可否を監視する。
【００４２】
また、ステップ２において、給湯等の熱需要があることが制御装置１００によって検出された場合には、貯湯タンク３１内の高温の湯水が消費されて給水管８５を介して低温の湯水が熱源循環回路３２内に供給されたり、追焚熱交換器４３で熱交換されて熱源循環回路３２内の湯水の温度が低下するので、送風機８による冷却は不要である。
【００４３】
また、ステップ３において、貯湯タンク３１内の蓄熱量が、蓄熱上限に達していないことが制御部１００によって検出された場合も、熱源循環回路３２内の湯水は排熱熱交換器３０において発電部２側の冷却水を冷却することができる。よって、この場合も送風機８による冷却は不要である。
【００４４】
さらにステップ４において、制御部１００が電気の需要を検出しなければ、発電部２を駆動する必要がないので、送風機８の駆動は無用である。また、電気の需要があり、送風機８を駆動（ステップ５）した場合において、電気の需要が確認されている間（ステップ６でＮＯ）は、送風機８を駆動し続ける。そして、電気の需要がなくなったことが検出される（ステップ６でＹＥＳ）と、ステップ７へ進み、送風機８で冷却された湯水を給湯装置６の燃焼部９（熱源）によって加熱し、湯水の温度を上昇させる。
【００４５】
図２には描写していないが、制御部１００はステップ７を実施後、所定時間が経過するまで熱需要がないことを確認すると、再度給湯装置６の燃焼部９（熱源）を稼働させ、熱源循環回路３２内の湯水を例えば１０秒〜６０秒、又は、給湯設定温度に基づく所定温度まで加熱し、熱の需要があったときに備える。
【００４６】
以上のように実施されたコージェネレーションシステム１では、発電部２による発電を継続して良好に行うことができると共に、電気の需要が無くなった際には、給湯（熱需要）に備えて予め熱源循環回路３２内の湯水を加熱しておくことにより、給湯当初から所望の温度の湯水を提供することができるようになる。
【００４７】
なお、本実施の形態では、発電部２をガスエンジン５と発電機１０とを採用した例を示したが、代わりに燃料電池を使用することもできる。
【図面の簡単な説明】
【００４８】
【図１】本発明の一実施形態であるコージェネレーションシステムの配管系統図である。
【図２】本発明のコージェネレーションシステムを実施する際の流れ図である。
【符号の説明】
【００４９】
１  コージェネレーションシステム
２  発電部
３  給湯部（貯湯部）
６  給湯装置（補助加熱手段）
７  給湯栓
８  補助加熱手段の送風機
９  燃焼部（補助加熱手段の熱源）
１０  発電機
１４  補助加熱手段の熱交換部
３１  貯留タンク（貯湯タンク）
３２  熱源循環回路（循環経路）
３３  給湯回路
３６  浴槽循環回路
１００  制御部（熱需要検出手段、監視手段、稼働検出手段、制御手段）
【図１】
2009204203.tif 000003
【図２】
2009204203.tif 000004